【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたサーバ装置、および、表示部と制御部とを少なくとも備えた複数の端末装置、を通信可能に接続した位置情報提供システムであって、
上記サーバ装置の上記記憶部は、
地図データを記憶する地図データ記憶手段と、
上記複数の上記端末装置から受信した現在位置情報を記憶する現在位置情報記憶手段と、
を備え、
上記サーバ装置の上記制御部は、
上記複数の上記端末装置のうち第１の上記端末装置から送信される、地図表示要求を受信する地図表示要求受信手段と、
上記地図表示要求受信手段により受信された上記地図表示要求に基づいて上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報をあいまいに特定する曖昧位置情報を作成する曖昧位置情報作成手段と、
上記曖昧位置情報作成手段により上記曖昧位置情報と上記地図データとを共に、上記第１の上記端末装置に送信する地図データ送信手段と、
を備え、
上記第１の上記端末装置の上記制御部は、
上記地図表示要求を上記サーバ装置に送信する地図表示要求送信手段と、
上記サーバ装置から送信される、上記曖昧位置情報と上記地図データを受信する地図データ受信手段と、
上記地図データ受信手段により受信された上記曖昧位置情報と上記地図データを上記表示部に表示させる地図表示手段と、
を備えたことを特徴とする、位置情報提供システム。
【請求項２】
請求項１に記載の位置情報提供システムにおいて、
上記サーバ装置の上記制御部は、
上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段、
を更に備えたことを特徴とする、位置情報提供システム。
【請求項３】
請求項２に記載の位置情報提供システムにおいて、
上記曖昧位置情報作成手段は、
上記地図データ取得手段により取得された上記地図データ上で、上記第２の上記端末装置の上記現在位置情報による位置を含むポリゴン領域を上記曖昧位置情報として作成することを特徴とする、位置情報提供システム。
【請求項４】
請求項３に記載の位置情報提供システムにおいて、
上記曖昧位置情報作成手段は、
上記第２の上記端末装置の上記現在位置情報による位置が、上記ポリゴン領域の中心以外に位置するように、上記曖昧位置情報を作成することを特徴とする、位置情報提供システム。
【請求項５】
請求項３に記載の位置情報提供システムにおいて、
上記曖昧位置情報作成手段は、
上記ポリゴン領域の中心以外のランダムな位置を、上記第２の上記端末装置の上記現在位置情報による位置とする上記曖昧位置情報を作成することを特徴とする、位置情報提供システム。
【請求項６】
請求項１に記載の位置情報提供システムにおいて、
上記曖昧位置情報作成手段は、
上記地図データ取得手段により取得された上記地図データ上で、上記第１の上記端末装置の上記現在位置情報と上記第２の上記端末装置の上記現在位置情報との位置関係により、大きさを変更したポリゴン領域を上記曖昧位置情報として作成することを特徴とする、位置情報提供システム。
【請求項７】
請求項１に記載の位置情報提供システムにおいて、
上記曖昧位置情報作成手段は、
上記地図データ取得手段により取得された上記地図データ上で、上記第２の上記端末装置の上記現在位置情報による位置を含む行政界を示すポリゴン領域を上記曖昧位置情報として作成することを特徴とする、位置情報提供システム。
【請求項８】
請求項１に記載の位置情報提供システムにおいて、
上記曖昧位置情報作成手段は、
上記地図データ取得手段により取得された上記地図データ上で、上記第２の上記端末装置の上記現在位置情報による位置を含むブロックを示すポリゴン領域を上記曖昧位置情報として作成することを特徴とする、位置情報提供システム。
【請求項９】
請求項３から８のいずれか一つに記載の位置情報提供システムにおいて、
上記曖昧位置情報作成手段は、
上記地図データ取得手段により取得された上記地図データ上で、上記ポリゴン領域内のランドマークが強調表示されるように指定する上記曖昧位置情報を作成することを特徴とする、位置情報提供システム。
【請求項１０】
請求項１に記載の位置情報提供システムにおいて、
上記曖昧位置情報作成手段は、
上記地図データ取得手段により取得された上記地図データ上で、上記第１の上記端末装置の上記現在位置情報による位置から、上記第２の上記端末装置の上記現在位置情報による位置への方向を矢印で示す上記曖昧位置情報を作成することを特徴とする、位置情報提供システム。
【請求項１１】
請求項１から１０のいずれか一つに記載の位置情報提供システムにおいて、
上記サーバ装置の上記制御部は、
上記第１の上記端末装置から送信される、上記地図データ送信手段により送信された上記地図データの上記曖昧位置情報についての詳細位置要求を受信する詳細位置要求受信手段と、
上記詳細位置要求受信手段により上記詳細位置要求が受信された場合に、当該詳細位置要求に対する可否についての問合せ情報を、上記第２の上記端末装置に送信する問合せ情報送信手段と、
上記第２の上記端末装置から送信される、上記問合せ情報に対する回答情報を受信する回答情報受信手段と、
上記回答情報受信手段により上記詳細位置要求に対して可とする上記回答情報が受信された場合に、上記第２の上記端末装置の上記現在位置情報を特定した詳細位置情報を作成する詳細位置情報作成手段と、
を備え、
上記地図データ送信手段は、上記詳細位置情報作成手段により上記詳細位置情報と上記地図データとを共に、上記第１の上記端末装置に送信し、
上記第１の上記端末装置の上記制御部は、
上記詳細位置要求を上記サーバ装置に送信する詳細位置要求送信手段、
を更に備え、
上記第２の上記端末装置の上記制御部は、
上記サーバ装置から送信される、上記問合せ情報を受信する問合せ情報受信手段と、
上記問合せ情報受信手段により受信された上記問合せ情報に対する上記回答情報を作成する回答情報作成手段と、
上記回答情報作成手段により作成された上記回答情報を上記サーバ装置に送信する回答情報送信手段と、
を更に備えたことを特徴とする、位置情報提供システム。
【請求項１２】
請求項１から１１のいずれか一つに記載の位置情報提供システムにおいて、
上記サーバ装置の上記記憶部は、
上記複数の上記端末装置の識別情報を関連付けた関連付け情報を記憶する関連付け情報記憶手段、
を更に備え、
上記領域内端末特定手段は、
上記関連付け情報記憶手段に記憶された上記関連付け情報に基づいて、上記第１の上記端末装置の上記識別情報に、他の上記端末装置の上記識別情報が関連付けられている場合に、上記地図データ取得手段により取得された上記地図データの領域内に上記現在位置情報による位置が含まれる上記他の上記端末装置を、上記第２の上記端末装置として特定することを特徴とする、位置情報提供システム。
【請求項１３】
地図データを記憶する地図データ記憶手段と、
複数の端末装置から受信した現在位置情報を記憶する現在位置情報記憶手段と、
上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報をあいまいに特定する曖昧位置情報を作成する曖昧位置情報作成手段と、
上記曖昧位置情報作成手段により作成された上記曖昧位置情報を上記地図データ上で表示部に表示させる地図表示手段と、
を備えたことを特徴とする、位置情報提供システム。
【請求項１４】
表示部と制御部とを少なくとも備えた複数の端末装置に通信可能に接続された、制御部と記憶部とを少なくとも備えたサーバ装置であって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部は、
上記複数の上記端末装置のうち第１の上記端末装置から送信される、地図表示要求を受信する地図表示要求受信手段と、
上記地図表示要求に基づいて上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報をあいまいに特定する曖昧位置情報を作成する曖昧位置情報作成手段と、
上記曖昧位置情報作成手段により作成された上記曖昧位置情報を含む上記地図データに基づく表示画面を生成する地図表示画面生成手段と、
上記表示画面を含む表示制御情報を上記第１の上記端末装置に送信することにより、当該端末装置の上記表示部を介して上記表示画面を表示させる表示制御手段と、
を備えたことを特徴とする、サーバ装置。
【請求項１５】
制御部と記憶部とを少なくとも備えたサーバ装置に通信可能に接続された、表示部と制御部とを少なくとも備えた端末装置であって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部は、
上記地図表示要求を上記サーバ装置に送信する地図表示要求送信手段と、
上記地図表示要求送信手段により送信された上記地図表示要求に基づいて上記地図データ記憶手段から取得された上記地図データの領域内に上記現在位置情報による位置が含まれる、他の上記端末装置の当該現在位置情報をあいまいに特定する曖昧位置情報と当該地図データとを共に、上記サーバ装置から受信する地図データ受信手段と、
上記地図データ受信手段により受信された上記曖昧位置情報と上記地図データを上記表示部に表示させる地図表示手段と、
を備えたことを特徴とする、端末装置。
【請求項１６】
位置情報提供システムにおいて実行される位置情報提供方法であって、
上記位置情報提供システムは、
地図データを記憶する地図データ記憶手段と、複数の端末装置から受信した現在位置情報を記憶する現在位置情報記憶手段と、地図データ取得手段と、領域内端末特定手段と、曖昧位置情報作成手段と、地図表示手段と、
を備え、
上記地図データ取得手段が、上記地図データを上記地図データ記憶手段から取得する地図データ取得ステップと、
上記領域内端末特定手段が、上記地図データ取得ステップにて取得された上記地図データの領域内に上記現在位置情報による位置が含まれる、第２の上記端末装置の当該現在位置情報をあいまいに特定する曖昧位置情報を作成する曖昧位置情報作成ステップと、
上記地図表示手段が、上記曖昧位置情報作成ステップにて作成された上記曖昧位置情報を上記地図データ上で表示部に表示させる地図表示ステップと、
を含むことを特徴とする、位置情報提供方法。
【請求項１７】
表示部と制御部とを少なくとも備えた複数の端末装置に通信可能に接続された、制御部と記憶部とを少なくとも備えたサーバ装置において実行される位置情報提供方法であって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部において実行される、
上記複数の上記端末装置のうち第１の上記端末装置から送信される、地図表示要求を受信する地図表示要求受信ステップと、
上記地図表示要求に基づいて上記地図データを上記地図データ記憶手段から取得する地図データ取得ステップと、
上記地図データ取得ステップにて取得された上記地図データの領域内に上記現在位置情報による位置が含まれる、第２の上記端末装置の当該現在位置情報をあいまいに特定する曖昧位置情報を作成する曖昧位置情報作成ステップと、
上記曖昧位置情報作成ステップにて作成された上記曖昧位置情報を含む上記地図データに基づく表示画面を生成する地図表示画面生成ステップと、
上記表示画面を含む表示制御情報を上記第１の上記端末装置に送信することにより、当該端末装置の上記表示部を介して上記表示画面を表示させる表示制御ステップと、
を含むことを特徴とする、位置情報提供方法。
【請求項１８】
制御部と記憶部とを少なくとも備えたサーバ装置に通信可能に接続された、表示部と制御部とを少なくとも備えた端末装置において実行される位置情報提供方法であって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部において実行される、
上記地図表示要求を上記サーバ装置に送信する地図表示要求送信ステップと、
上記地図表示要求送信ステップにて送信された上記地図表示要求に基づいて上記地図データ記憶手段から取得された上記地図データの領域内に上記現在位置情報による位置が含まれる、他の上記端末装置の当該現在位置情報をあいまいに特定する曖昧位置情報と当該地図データとを共に、上記サーバ装置から受信する地図データ受信ステップと、
上記地図データ受信ステップにて受信された上記曖昧位置情報と上記地図データを上記表示部に表示させる地図表示ステップと、
を含むことを特徴とする、位置情報提供方法。
【請求項１９】
表示部と制御部とを少なくとも備えた複数の端末装置に通信可能に接続された、制御部と記憶部とを少なくとも備えたサーバ装置に実行させるためのプログラムであって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部において、
上記複数の上記端末装置のうち第１の上記端末装置から送信される、地図表示要求を受信する地図表示要求受信ステップと、
上記地図表示要求に基づいて上記地図データを上記地図データ記憶手段から取得する地図データ取得ステップと、
上記地図データ取得ステップにて取得された上記地図データの領域内に上記現在位置情報による位置が含まれる、第２の上記端末装置の当該現在位置情報をあいまいに特定する曖昧位置情報を作成する曖昧位置情報作成ステップと、
上記曖昧位置情報作成ステップにて作成された上記曖昧位置情報を含む上記地図データに基づく表示画面を生成する地図表示画面生成ステップと、
上記表示画面を含む表示制御情報を上記第１の上記端末装置に送信することにより、当該端末装置の上記表示部を介して上記表示画面を表示させる表示制御ステップと、
を実行させるためのプログラム。
【請求項２０】
制御部と記憶部とを少なくとも備えたサーバ装置に通信可能に接続された、表示部と制御部とを少なくとも備えた端末装置に実行させるためのプログラムであって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部において、
上記地図表示要求を上記サーバ装置に送信する地図表示要求送信ステップと、
上記地図表示要求送信ステップにて送信された上記地図表示要求に基づいて上記地図データ記憶手段から取得された上記地図データの領域内に上記現在位置情報による位置が含まれる、他の上記端末装置の当該現在位置情報をあいまいに特定する曖昧位置情報と当該地図データとを共に、上記サーバ装置から受信する地図データ受信ステップと、
上記地図データ受信ステップにて受信された上記曖昧位置情報と上記地図データを上記表示部に表示させる地図表示ステップと、
を実行させるためのプログラム。